(57)【要約】【課題】本発明は、簡単な構造でありながら、炭の有する脱臭・遠赤外線・マイナスイオン化などの効用を発揮し、特にマイナスイオンを放出するマイナスイオン発生体、及びマイナスイオン発生装置を提供する。【解決手段】本発明のマイナスイオン発生体は、加熱された炭を主成分として形成される部材４０に液体が接触することによりマイナスイオンが発生する。【選択図】      図３
2004208891.tif 000002
【特許請求の範囲】
【請求項１】
加熱された炭を主成分として形成される部材に液体が接触することにより大気中にマイナスイオンが発生することを特徴とするマイナスイオン発生体。
【請求項２】
前記部材は前記液体を収容する収容部を備えていることを特徴とする請求項１に記載のマイナスイオン発生体。
【請求項３】
前記部材は容器の蓋であることを特徴とする請求項１に記載のマイナスイオン発生体。
【請求項４】
上方に開口を有する容器本体と、前記容器本体の外周面に設けられた取っ手と、を備え、前記容器本体は、炭を主成分として形成されていることを特徴とするマイナスイオン発生体。
【請求項５】
炭を主成分として形成される部材と、
前記部材に水分を供給するための水分供給手段と、
前記部材を加熱するための加熱手段と、
を具備することを特徴とするマイナスイオン発生装置。
【発明の詳細な説明】
【０００１】
【発明の属する技術分野】
本発明は、炭を利用してマイナスイオンを発生するためのマイナスイオン発生体、又はマイナスイオン発生装置に関する。
【０００２】
【従来の技術】
従来、吸気口および排気口を有するフィルタケース内に活性炭を装填した空気清浄装置が知られている。この空気清浄装置は活性炭の吸着作用を利用して臭気を除去するものである。
【０００３】
また、炭は、この脱臭作用以外にも加熱することにより遠赤外線を放出することが知られている。
【０００４】
また、炭は、水中において、水と炭とが接触する（擦れる）ことにより、マイナスイオンを放出することも知られている。
【０００５】
【発明が解決しようとする課題】
しかし、通常、炭は単品で商品として取引されており、それぞれの用途に合わせて、各人がお風呂の水の中に入れたり、冷蔵庫の中にいれて脱臭剤として利用したり、している。
【０００６】
本発明は、簡単な構造でありながら、炭の有する脱臭・遠赤外線・マイナスイオン化などの効用を発揮し、特に大気中にマイナスイオンを放出するマイナスイオン発生体、及びマイナスイオン発生装置を提供することを目的とする。
【０００７】
【課題を解決するための手段】
以下、本発明について説明する。なお、本発明の理解を容易にするために添付図面の参照符号を括弧書きにて付記するが、それにより本発明が図示の形態に限定されるものではない。
【０００８】
本発明は、加熱された炭を主成分として形成される部材（４０）に液体が接触することにより大気中にマイナスイオンが発生することを特徴とする。また、前記部材は前記液体を収容する収容部（４０ｂ）を備えていることを特徴とする。
【０００９】
この発明によれば、加熱された部材に液体を噴霧、滴下等により接触させ、液体を蒸発させることにより、容易にマイナスイオンを大気中に発生させることができる。また、収容部を設けることにより液体を一時的に収容できる。
【００１０】
また、前記部材は容器の蓋であってもよい。例えば、ヤカン（７０）の蓋（７２）等である。また、上方に開口を有する容器本体（６１）と、前記容器本体の外周面に設けられた取っ手（６２）と、を備え、前記容器本体は、炭を主成分として形成されていてもよい。例えば、コーヒーカップ（６０）等である。
【００１１】
この発明によれば、コーヒーカップ等の容器であれば、容易に人間にマイナスイオンの効果を与えることができる。また、ヤカンの蓋等であれば、容易にマイナスイオンを大気中に発生させることができる。
【００１２】
また、本発明のマイナスイオン発生装置は、炭を主成分として形成される部材（４０）と、前記部材に水分（液体）を供給するための水分供給手段（４１）と、前記部材を加熱するための加熱手段（３０ａ）と、を具備している。
【００１３】
この発明によれば、水分が所定の温度に加熱された炭化部材に、滴下・噴霧等され、その水分が蒸発することにより、容易に大気中にマイナスイオンを発生させることができる。
【００１４】
【発明の実施の形態】
以下、図１〜図５を参照して、本発明のマイナスイオン発生体の各実施形態について説明する。
【００１５】
−第１の実施形態−
図１はマイナスイオン発生体を利用した空気清浄装置の全体構造図、図２はマイナスイオン発生体を利用した空気清浄装置の外観図、図３はマイナスイオン発生体の構造図である。なお、図中の矢印は空気の流れを示す。
【００１６】
空気清浄装置１は、遠赤外線、脱臭効果を有する触媒等を収納する本体１０と、発熱体３０ａと、マイナスイオンを発生するためのマイナスイオン発生体４０と、を備えている。
【００１７】
本体１０は、円形状の底部壁１１と、その底部壁１１の外周から上方垂直方向に延ばされた側部壁１２とを有する円筒型のケース本体１３と、ケース本体上部の側部壁端部の開口を塞ぐ蓋１４とを備えている。
【００１８】
ケース本体１３の側部壁上方外周面には、内部に貫通する貫通孔１２ａ、１２ａ、・・・、１２ａが複数設けられている。この貫通孔１２ａは、後述する遠赤外線の放出口として機能する。また、側部壁１２の下方外周面には、全周に亘って所定の間隔で開口１２ｂ、１２ｂ、・・・、１２ｂが設けられている。この開口１２ｂは空気取入口として機能する。
【００１９】
また、蓋１４の中央には空気を排出するための開口１４ａを有する。この開口１４ａは、例えば、フィルタ、金網等により形成され、排気孔として機能する。
【００２０】
ケース本体１３の内部は、断面が円形状で筒状の仕切体１５を備えている。この仕切体１５は、底部壁１１の中央部所定位置から上方垂直方向に延ばされて形成される。この仕切体１５により、ケース本体１３の内部が内方空間部１６と外方空間部１７とに区分けされる。また、内方空間部１６の所定部には、触媒を支持するための支持体２０を仕切体１５に対して垂直に設けられる。この触媒５は、例えば竹炭等の触媒である。
【００２１】
この支持体２０により、内方空間部１６は上下に区分けされる。また、この仕切体１５、及び支持体２０は熱伝導率の高い部材であることが好ましい。
【００２２】
また、ケース本体１３の内部下方には、空間部１８を形成するための一対の仕切体１９、１９ａを備えている。また、この空間部１８は、側部壁１２に設けられている開口１２ｂと連通している。また、この空間部１８は、仕切体１５により仕切られた内方空間部１６と連通する。また、仕切体１５において、空間部１８と接する部分には、複数の孔１５ａ、１５ａ、・・・、１５ａが設けられている。
【００２３】
また、空間部１８を形成する仕切体１９ａの上部には、発熱体収容部３０を形成するための仕切体２１を備えている。この発熱体収容部３０には、発熱体３０ａ（例えば、ヒータ等）が備えられる。発熱体３０ａは、発熱量を制御するための制御装置５０と電気的に接続される。この制御装置５０により、発熱体３０ａの発熱量（温度）が制御される。また、この仕切体２１は熱伝導率の高い部材であることが好ましい。
【００２４】
また、発熱体収容部３０を形成する仕切体２１の上部は外方空間部１７として機能する。この外方空間部１７には、触媒が設けられる。この触媒は、例えば、竹炭を含むフィルタ５ｂが備えられる。
【００２５】
また、内方空間部１６の最下端部には、図３に示すように、マイナスイオン発生体４０と、このマイナスイオン発生体４０に水分等の液体を供給する水分供給手段として機能する水滴噴霧装置４１と、が備えられる。
【００２６】
マイナスイオン発生体４０は竹炭等の触媒を主成分として、例えば、竹炭と粘土を混合して形成される部材である。このマイナスイオン発生体４０の材質は、例えば、陶器、セラミックス等である。また、形状は中心部が突設して略半円形状に形成され、端部４０ａがＵ字状に湾曲して成形されている溝部４０ｂが形成されている。Ｕ字状の溝部４０ｂは、後述する水滴噴霧装置４１により噴霧される液体（水等）を収容する収容部として機能する。
【００２７】
水滴噴霧装置４１は、水などの液体をマイナスイオン発生体４０に噴霧するためのノズル４２と、所定量の液体をノズル４２に供給するための制御装置５０と、ホース等の接続部材を介してノズル４２と接続される収納タンク４５と、を備えている。この収納タンク４５にはノズル４２から噴霧される水などの液体とポンプＰが収納される。
【００２８】
本発明の空気清浄装置の動作形態について説明する。なお、理解しやすいように図面と対応する部分の符号を付記することとするが、それによって限定されるものではない。
【００２９】
まず、空気清浄装置１は、制御装置によって、発熱体３０ａに所定の電圧（電流）が印加される。これにより発熱体３０ａが所定の温度に加熱される。加熱された熱は、仕切体１５、２０、２１を介して、マイナスイオン発生体４０、フィルタ５ｂ、触媒５等に伝達され、それぞれ加熱される。
【００３０】
また、発熱体３０ａが加熱することによって、ケース本体１０の内部で上昇気流が生じ、空気取入口として機能する開口１２ｂから外気が流入するとともに、その外気がケース本体１０の上部開口１４ａから排出され、自然循環する。
【００３１】
また、フィルタ５ｂ、触媒５等は、加熱されることにより、遠赤外線が発生する。発生した遠赤外線は、側壁１３に設けられている貫通孔１２ａから外部へ放出される。
【００３２】
また、自然循環する空気に含まれる臭気は、フィルタ、触媒等を介してケース本体上部の開口から排出されるが、その際、フィルタ、触媒等が悪臭を吸着する。これにより悪臭が脱臭される。
【００３３】
また、発熱体３０ａの加熱によって、仕切体１５を介してマイナスイオン発生体４０が所定温度に加熱される。加熱された状態において、水滴噴霧装置４１から水滴がマイナスイオン発生体４０に噴霧（滴下）されると、マイナスイオン発生体４０の表面において、噴霧された水滴がマイナスイオン発生体４０の外周面と衝突し、蒸発する。その際、マイナスイオンが発生する。このマイナスイオンは、内方空間部１６を上昇し、外部へ放出される。
【００３４】
これらにより、空気取入口から流入した空気は、ケース本体内部で、フィルタ、触媒により脱臭されるとともに、マイナスイオン発生体から発生するマイナスイオンが、開口から排出される。
【００３５】
また、空気清浄装置１は、蓋１４の上部にファンを設け、強制的に外気をケース本体内部へ吸気するようにしてもよい。
【００３６】
以上に説明したように、本発明のマイナスイオン発生装置は、炭を主成分として形成されるマイナスイオン発生体４０として機能する部材と、前記部材に水分を供給するための水分供給手段として機能する水滴噴霧装置４１と、前記部材を加熱するための加熱手段として機能する発熱体３０ａと、を具備している。
【００３７】
これにより簡単な構造でありながらマイナスイオンを発生させ、大気中、又は直接人体に影響を及ぼすことができる。
【００３８】
更に、上記実施形態に説明したように、本実施形態のマイナスイオン発生装置を備えた空気清浄装置１は、下方と上方に開口１２ｂ、１４ａを有し、前記開口間を連通する吸気経路と、前記吸気経路に備えられる吸着部材（触媒５）と、前記吸気経路の下方に前記吸気経路と連通して、炭を含む部材（マイナスイオン発生体４０）と、前記部材（マイナスイオン発生体４０）に水分を供給するための水分供給手段としての水滴噴霧装置４１（ノズル等）と、前記部材（マイナスイオン発生体４０）及び吸着部材（触媒５）を加熱するための加熱手段としてのヒータ３０ａと、を具備している。
【００３９】
これにより、マイナスイオンは、加熱手段により加熱された部材（マイナスイオン発生体４０）に所定の量の水分が供給されその水分が部材（マイナスイオン発生体４０）に接触（衝突）することにより発生するとともに、そのマイナスイオンが加熱手段により加熱された熱によって発生する上昇気流を介して外部へ排出されるので、容易にマイナスイオンを発生させることができるとともに、そのマイナスイオンを大気中に放出することができる。また、吸気経路内に炭を含むフィルタ、炭からなる吸着部材（触媒５）を設けることにより、大気中の悪臭を脱臭できるとともに、遠赤外線を外部へ放出できる。
【００４０】
このように簡単な構造でありながら、炭の有する脱臭・遠赤外線・マイナスイオン化などの効用を最大限に発揮することができる。
【００４１】
−第２の実施形態−
図４はマイナスイオン発生体として機能するカップの構造図である。
【００４２】
このカップ６０は、マイナスイオン発生体として機能する容器本体６１と、その容器本体６１の外周面に設けられる取っ手６２と、を備えている。
【００４３】
容器本体６１は、竹炭等の触媒を主成分として、例えば、竹炭６３と粘土６４を混合して形成される。この容器本体６１の材質は、例えば、陶器、セラミックス等である。また、より効果的には、液体と接する面に竹炭６３が突出するように容器本体６１が形成されるとよい。
【００４４】
また、容器本体６１は、底壁６１ａと、その底壁６１ａの外周から上部に向かって末広がりに形成される側壁６１ｂと、を備え、上部に開口６１ｃを有する。
【００４５】
また、取っ手６２はこの側壁６１ｂの外周面に設けられる。
【００４６】
容器本体６１の開口６１ｃには、加熱された液体が注がれる。この加熱された液体が注がれる際、又は注がれた液体が流動する際に、その液体から発生する水蒸気が容器本体６１と接触し、マイナスイオンを発生する。これにより、人間に直接マイナスイオン効果を与えることができる。また、水の悪臭を炭が吸着し脱臭することができる。
【００４７】
以上に説明したように、本実施形態のマイナスイオン発生体として機能するカップは、上方に開口を有する容器本体６１と、前記容器本体の外周面に設けられた取っ手６２と、を備え、前記容器本体６１は、炭を主成分として形成されている。
【００４８】
これにより、例えば、加熱された液体をこの容器本体に注ぐことにより、その液体から発生する水蒸気が容器本体と接触することによりマイナスイオンが発生する。このように簡単な構造でありながら、マイナスイオンを発生させ、人体にマイナスイオン効果を与えることができる。
【００４９】
−第３の実施形態−
図５はマイナスイオン発生体を利用したヤカンの構造図である。
【００５０】
ヤカン７０は、上部に開口７１ａを有する容器本体７１と、その開口７１ａを塞ぐための蓋７２と、を備えている。
【００５１】
容器本体７１は、例えば金属、アルミ、銅、アルマイト等により形成される。また容器本体７１の上部には容器本体等を持ち上げるための取っ手７１ａを備えている。また、容器本体７１の外周面の一部には、外方に突出する突設部７１ｃを備えている。この突設部７１ｃは中空形状であり、容器本体７１の内部と外部とが連通する貫通孔７１ｄを備えている。
【００５２】
蓋７２は、竹炭等の触媒を主成分として、例えば、竹炭７２ａと粘土７２ｂを混合して形成される。この蓋７２の材質は、例えば、陶器、セラミック等である。この蓋７２はマイナスイオン発生体として機能する。また、より効果的には竹炭７２ａが容器本体７１の内部に突出するように蓋７２が形成されるとよい。
【００５３】
また、蓋７２の一部には、容器本体７１の内部と外部とが連通する貫通孔７２ｃを備えている。この貫通孔７２ｃは複数備えられていても良い。
【００５４】
例えば、容器本体７１に液体が収容された状態でストーブ等の上部に載置されると、容器本体７１は加熱されるとともに、収容された液体が加熱し、水蒸気が発生する。水蒸気は、蓋７２に設けられた貫通孔７２ｃを通過して、外部へ放出される。その際に、蓋７２、及び貫通孔７２ｃには水蒸気が接触し、マイナスイオンが発生する。マイナスイオンは貫通孔７２ｃを通過して大気中に放出される。これにより、大気中にマイナスイオン効果を与えることができる。また、より効果的には、水蒸気と接する貫通孔７２ｃの内面に竹炭７２ａが突出するように形成されるとよい。
【００５５】
以上に説明したように、本実施形態のマイナスイオン発生体として機能する蓋７２を有する容器は、上方に開口７１ａを有する容器本体７１と、その開口７１ａを塞ぐ蓋７２とを備え、前記蓋７２は、炭を主成分として形成されているとともに、容器内部と外部とが連通する貫通孔７２ｃを備えている。
【００５６】
これにより、例えば、液体を容器本体７１に収容し、ストーブ等の上部に載置されると、容器本体７１が加熱し、水蒸気を発生する。この水蒸気は、蓋７２と接触することによりマイナスイオンを発生し、貫通孔７２ｃから外部に放出する。このように簡単な構造でありながら、マイナスイオンを発生させ、大気中にマイナスイオン効果を与えることができる。
【００５７】
以上、各実施形態において説明したように本発明のマイナスイオン発生体は、加熱された炭を主成分として形成される部材に液体が接触することにより大気中にマイナスイオンが発生することを特徴とする。また、この部材は液体を収容する収容部を備えていても良い。また、この部材は容器、又は容器の蓋であってもよい。
【００５８】
本発明は以上の実施形態に限定されることなく、種々の形態にて実施してよい。
【図面の簡単な説明】
【図１】第１の実施形態を示すマイナスイオン発生体を利用した空気清浄装置の全体構造図である。
【図２】第１の実施形態を示すマイナスイオン発生体を利用した空気清浄装置の外観図である。
【図３】マイナスイオン発生体の構造図である。
【図４】第２の実施形態を示すマイナスイオン発生体として機能するカップの構造図である。
【図５】第３の実施形態を示すマイナスイオン発生体を利用したヤカンの構造図である。
【符号の説明】
３０ａ  加熱手段（ヒータ）
４０  部材（マイナスイオン発生体）
４０ｂ  収容部（溝）
４１  水分供給手段（水滴噴霧装置）
６０  カップ
６１  容器本体
６２  取っ手
７０  ヤカン
７２  蓋
【図１】
2004208891.tif 000003
【図２】
2004208891.tif 000004
【図３】
2004208891.tif 000005
【図４】
2004208891.tif 000006
【図５】
2004208891.tif 000007